(57)【要約】【課題】走行機体の前部に連結した前処理部の未刈り地側に、未刈り茎稈を分草するナローガイドを備えたコンバインにおいて、前記前処理部で刈り取る茎稈の稈長に応じてナローガイドの高さ位置を容易に調節できるようにする。【解決手段】走行機体２の前部または前処理部５に走行機体２の前後方向に自在に揺動する揺動リンク２３を設け、該揺動リンク２３にナローガイド２１の中間部を支持し、該ナローガイド２１を前記揺動リンク２３を介して分草作業姿勢Ａと格納姿勢Ｂとに変姿可能に構成すると共に、前記揺動リンク２３の揺動支点側にナローガイド２１の高さ位置を調節可能な高さ位置調節機構Ｒを設け、該高さ位置調節機構Ｒを介して揺動リンク２３を上下動させることによって、当該ナローガイド２１の高さ位置を調節できるように構成した。【選択図】図５
2010081892.tif 000002
【特許請求の範囲】
【請求項１】
走行機体（２）の前部に連結した前処理部（５）の未刈り地側に、未刈り茎稈を分草するナローガイド（２１）を備えたコンバインにおいて、前記未刈り茎稈の稈長に応じてナローガイド（２１）の高さ位置を調節可能な高さ位置調節機構（Ｒ）を設けたことを特徴とするコンバイン。
【請求項２】
走行機体（２）の前部または前処理部（５）に走行機体（２）の前後方向に自在に揺動する揺動リンク（２３）を設け、該揺動リンク（２３）にナローガイド（２１）の中間部を支持し、該ナローガイド（２１）を前記揺動リンク（２３）を介して分草作業姿勢（Ａ）と格納姿勢（Ｂ）とに変姿可能に構成すると共に、前記揺動リンク（２３）の揺動支点側にナローガイド（２１）の高さ位置を調節可能な高さ位置調節機構（Ｒ）を設け、該高さ位置調節機構（Ｒ）を介して揺動リンク（２３）を上下動させることによって、当該ナローガイド（２１）の高さ位置を調節できるように構成した請求項１に記載のコンバイン。
【発明の詳細な説明】
【技術分野】
【０００１】
本発明は、走行機体の前部に連結した前処理部の未刈り地側に、未刈り茎稈を分草するナローガイドを備えたコンバインに関する。
【背景技術】
【０００２】
従来、走行機体の前部に連結した前処理部の未刈り地側に、前処理部の側部から張り出して未刈り茎稈を分草する分草作業姿勢と、前処理部の側部に沿う格納姿勢とに変姿可能なナローガイド（分草杆）を設け、このナローガイドの姿勢切換えを運転席から行なえるようにすべく、走行機体の前部または前処理部に設けた揺動リンクの基端部を運転席から操作可能な操作レバーに連繋させると共に、前記揺動リンクの先端部を、融通手段を介してナローガイドに連結し、前記操作レバーを操作することにより揺動リンクを揺動させてナローガイドの姿勢切換えを可能にしたコンバインが知れている（例えば、特許文献１参照）。
【特許文献１】特願２００６−１２９８２９号（第３−４頁、図４−図７）
【発明の開示】
【発明が解決しようとする課題】
【０００３】
しかし、前処理部で刈り取る茎稈は品種等の作物条件や地域条件によって、その稈長は長短様々である。したがって、稈長の長い茎稈を刈り取る場合、ナロ−ガイドの中間部の高さ位置が低いと、穂部が走行機体側に倒れて機枠と接触し、茎稈の折れ曲がりや穀粒の脱落を生じてしまう。一方、稈長の短い茎稈を刈り取る場合は、ナロ−ガイドの中間部の高さ位置が高いと、未刈り茎稈を前処理部の未刈り地側、即ち走行機体の横側方に向けて分草することができずに穂部が走行機体側に倒れて走行部と接触し、穀粒の脱落が生じるといった問題点を有していた。
【課題を解決するための手段】
【０００４】
本発明は、上記課題を解決することを目的としたものであって、走行機体の前部に連結した前処理部の未刈り地側に、未刈り茎稈を分草するナローガイドを備えたコンバインにおいて、前記未刈り茎稈の稈長に応じてナローガイドの高さ位置を調節可能な高さ位置調節機構を設けたことを第１の特徴としている。
そして、走行機体の前部または前処理部に走行機体の前後方向に自在に揺動する揺動リンクを設け、該揺動リンクにナローガイドの中間部を支持し、該ナローガイドを前記揺動リンクを介して分草作業姿勢と格納姿勢とに変姿可能に構成すると共に、前記揺動リンクの揺動支点側にナローガイドの高さ位置を調節可能な高さ位置調節機構を設け、該高さ位置調節機構を介して揺動リンクを上下動させることによって、当該ナローガイドの高さ位置を調節できるように構成したことを第２の特徴としている。
【発明の効果】
【０００５】
請求項１の発明によれば、未刈り茎稈の稈長に応じてナローガイドの高さ位置を調節可能な高さ位置調節機構を設けたことによって、前処理部で刈り取る茎稈の稈長が品種等の作物条件や地域条件によって変動しても、前記高さ位置調節機構により茎稈の稈長に応じてナローガイドの高さ位置を調節することができるので、未刈り茎稈の穂部が走行機体側に倒れて機枠や走行部と接触し、茎稈の折れ曲がりや穀粒の脱落を生じるといった従来の不具合が解消される。
そして、走行機体の前部または前処理部に走行機体の前後方向に自在に揺動する揺動リンクを設け、該揺動リンクにナローガイドの中間部を支持し、該ナローガイドを前記揺動リンクを介して分草作業姿勢と格納姿勢とに変姿可能に構成すると共に、前記揺動リンクの揺動支点側にナローガイドの高さ位置を調節可能な高さ位置調節機構を設け、該高さ位置調節機構を介して揺動リンクを上下動させることによって、当該ナローガイドの高さ位置を調節できるように構成したので、前処理部で刈り取る茎稈の稈長に応じて前記ナローガイドの高さ位置を調節するにあたり、該ナローガイドの横方向への位置変化、即ち未刈り茎稈側へのナローガイドの張り出しを抑制しながらナローガイドの高さ位置を調節することが可能であり、このナローガイドの高さ位置の調節に伴って分草性能が低下することはない。
【発明を実施するための最良の形態】
【０００６】
次に、本発明の実施の形態を図面に基づいて説明する。図１は、コンバインの斜視図であって、コンバインは、走行部である左右一対のクローラ走行装置１Ｌ，１Ｒに支持した走行機体２を有しており、該走行機体２の前部右側には、図示しないエンジンを搭載すると共に、このエンジンの上方には、コンバインの操縦部３を構成する運転席４を配置している。
【０００７】
一方、走行機体２の前部左側には、茎稈（穀稈）の刈取りと搬送を行なう前処理部５を昇降自在に連結してあり、この前処理部５の後方には、該前処理部５で刈取った茎稈から穀粒を脱穀し、且つこの穀粒を選別する脱穀部６と、該脱穀部６で選別した穀粒を一時的に貯留する穀粒タンク７と、前記脱穀部６から排藁搬送装置８を介して搬送される排藁を切断処理する後処理部９を備えている。そして、穀粒タンク７内に一時的に貯留した穀粒は、穀粒排出オーガ１１を介して機外に排出することができる。
【０００８】
更に詳しく説明すると、図２は、前処理部５の側面図であって、前処理部５は、未刈り茎稈を分草しながら導入する分草体１２と、導入される茎稈を引き起す引起し装置１３と、茎稈の株元を切断する刈刃装置１４と、茎稈の株元を挟持搬送する株元掻込装置１５と、該株元掻込装置１５による掻込茎稈の株元を図示しない合流部まで搬送する株元搬送装置１６と、前記掻込茎稈の穂側を搬送する穂先搬送装置１７と、株元搬送装置１６によって搬送される茎稈を適正な扱ぎ深さに調節して後送する扱深搬送装置１８等を備えており、これら各装置（１２〜１８）は、走行機体２の前部に前方に向かって斜め下方に延出させた縦伝動筒１９ａと、該縦伝動筒１９ａの先端部に平面視でＴ字状に連結した横伝動筒１９ｂを主フレームとする前処理フレーム１９に組み付けてある。
【０００９】
また、前処理部５の未刈り地側（左側部）には、未刈り茎稈を分草（倒れ込みを規制）するナローガイド２１を設けている。このナローガイド２１は、走行機体２の前後方向に向くパイプ材で形成してあり、その前端部２１ａを最左端側の分草体支持フレーム２２の先端部近傍に左右揺動自在に連結することによって、図３に示す如く前処理部５の未刈り地側に、該前処理部５の側部から張り出して未刈り茎稈を分草する分草作業姿勢Ａ（二点鎖線で示す状態）と、前処理部５の側部に沿う格納姿勢Ｂ（実線で示す状態）とに変姿できるように構成している。
【００１０】
そして、走行機体２の前部または前処理部５の未刈り地側（左側部）には、走行機体２の前後方向に自在に揺動する揺動リンク２３を設けてあり、この揺動リンク２３の基端部を、オペレータが操縦部３の運転席４に着座した状態で操作することができる操作レバー２４（図１及び図４参照）に連繋機構２５を介して連繋せしめると共に、揺動リンク２３の先端部を、融通手段２６を介してナローガイド２１の中間部に連結している。
【００１１】
即ち、図４に示すように、操作レバー２４を揺動操作すると、連繋機構２５を介して揺動リンク２３が揺動し、ナローガイド２１の姿勢を分草作業姿勢Ａまたは格納姿勢Ｂに切換えることができるようになっており、ナローガイド２１の前記姿勢切換操作をオペレータが運転席４に着座した状態で行うことができるだけでなく、電動モータ等のアクチュエータを不要にしてコストダウンを図ることができる。
【００１２】
次に、上述した揺動リンク２３、操作レバー２４、連繋機構２５、及び融通手段２６の具体的な構成について説明する。融通手段２６は、ナローガイド２１の後端側に並列状に設けた連結レール２１ｂと、この連結レール２１ｂにスライド自在に連結する揺動リンク２３の先端部に固設したＵ字状のフック２３ａからなり、前記ナローガイド２１と揺動リンク２３との連結をスライド自在に融通しつつ、当該揺動リンク２３の揺動にナローガイド２１を追従させることができるように構成している。尚、連結レール２１ｂの後端部は、Ｕ字状に折り曲げてナローガイド２１の後端部に挿入している。一方、連結レール２１ｂの前端部は、ナローガイド２１に固設した固定プレート２１ｃにボルト２７を用いて螺設している。
【００１３】
また、揺動リンク２３は、図５に示すように、緩やかなＳ字状に曲げ成形したパイプ材からなり、その基端部に連結プレート２３ｂを固設している。一方、走行機体２の前部または前処理部５の未刈り地側（左側部）には、揺動リンク２３を揺動自在に取り付けるための支軸（揺動支点）３１ａを立設したブラケット３１を設けると共に、前記支軸３１ａに回動自在に外嵌するボス３２ａと、該ボス３２ａに一体的に固設した取付プレート３２ｂを備える回動アーム３２を設けてあり、該回動アーム３２の取付プレート３２ｂに穿設した２つの取り付け孔Ｈ１，Ｈ１に、揺動リンク２３の連結プレート２３ｂに穿設した基端側位置決め孔Ｈ２と詳細は後述する先端側高さ位置調節孔（長穴）Ｈ３を一致させた状態で、前記取付プレート３２ｂと連結プレート２３ｂをボルト３３，３３とナット３４，３４（ワッシャ３５）を用いて一体的に螺設できるように構成している。
【００１４】
そして、上述した回動アーム３２のボス３２ａには、連繋機構２５を構成する一対のワイヤ３６，３６を両端部に連結させる連結プレート３２ｃを固設してあり、操作レバー２４を揺動操作することによるワイヤ３６，３６の背反的な押し引きに応じて連結プレート３２ｃがシーソー状に回動し、この連結プレート３２ｃの回動に伴って揺動リンク２３も一体的に揺動するので、ナローガイド２１の姿勢を分草作業姿勢Ａまたは格納姿勢Ｂに容易に切換えることができる。尚、操作レバー２４は、図示しない操作レバーブラケットを介して機体フレームに取り付けてあり、レバーガイドのガイド溝に沿って走行機体２の前後方向に操作することができるようになっている。
【００１５】
更に、回動アーム３２の取付プレート３２ｂに一体的に螺設する揺動リンク２３の連結プレート２３ｂは、螺設手段であるボルト３３，３３とナット３４，３４の螺合を若干緩めた状態で、前記連結プレート２３ｂの基端側位置決め孔Ｈ２（ボルト３３）を回動支点Ｐ（図５参照）として、先端側の高さ位置調節孔（長穴）Ｈ３の許容する範囲で揺動リンク２３を上下動させることができる。
【００１６】
即ち、上述した揺動リンク２３の上下動は、前処理部５の未刈り地側における未刈り茎稈の稈長に応じて、ナローガイド２１の高さ位置を容易に調節可能な高さ位置調節機構Ｒを構成するものであり、このような高さ位置調節機構Ｒを設けることによって、前処理部５で刈り取る茎稈の稈長が品種等の作物条件や地域条件によって変動しても、図２に二点鎖線で示すように、前記高さ位置調節機構Ｒにより茎稈の稈長に応じてナローガイド２１の高さ位置を調節することができるので、未刈り茎稈の穂部が走行機体２側に倒れて機枠や走行部である左右一対のクローラ走行装置１Ｌ，１Ｒと接触し、茎稈の折れ曲がりや穀粒の脱落を生じるといった従来の不具合が解消される。
【００１７】
尚、図６に示す状態は、上述の高さ位置調節機構Ｒを介して揺動リンク２３をＣ矢印方向に最下動させたものであり、また図７に示す状態は、同じく高さ位置調節機構Ｒを介して揺動リンク２３をＤ矢印方向に最上動させたものであり、このように、走行機体２の前部または前処理部５に走行機体２の前後方向に自在に揺動する揺動リンク２３を設け、該揺動リンク２３にナローガイド２１の中間部を支持し、該ナローガイド２１を前記揺動リンク２３を介して分草作業姿勢Ａと格納姿勢Ｂとに変姿可能に構成すると共に、前記揺動リンク２３の揺動支点側にナローガイド２１の高さ位置を調節可能な高さ位置調節機構Ｒを設け、該高さ位置調節機構Ｒを介して揺動リンク２３を上下動させることによって、当該ナローガイド２１の高さ位置を調節できるように構成したので、前処理部５で刈り取る茎稈の稈長に応じて前記ナローガイド２１の高さ位置を調節するにあたり、該ナローガイド２１の横方向への位置変化、即ち未刈り茎稈側へのナローガイド２１の張り出しを抑制しながらナローガイド２１の高さ位置を調節することが可能であり、このナローガイド２１の高さ位置の調節に伴って分草性能が低下することはない。
【００１８】
そして、上述した回動アーム３２のボス３２ａには、連繋機構２５を構成する一対のワイヤ３６，３６を両端部に連結させる連結プレート３２ｃを固設してあり、操作レバー２４を揺動操作することによるワイヤ３６，３６の背反的な押し引きに応じて連結プレート３２ｃがシーソー状に回動し、この連結プレート３２ｃの回動に伴って揺動リンク２３も一体的に揺動するので、ナローガイド２１の姿勢を分草作業姿勢Ａまたは格納姿勢Ｂに容易に切換えることができる。尚、操作レバー２４は、図示しない操作レバーブラケットを介して機体フレームに取り付けてあり、レバーガイドのガイド溝に沿って走行機体２の前後方向に操作することができるようになっている。
【図面の簡単な説明】
【００１９】
【図１】コンバインの斜視図。
【図２】一部を省略した前処理部の側面図。
【図３】ナローガイドの分草作業姿勢と格納姿勢を示す要部平面図。
【図４】操作レバーの構成を示す要部側面図。
【図５】高さ位置調節機構の構成を示す斜視図。
【図６】揺動リンクを最下動させた状態を示す斜視図。
【図７】揺動リンクを最上動させた状態を示す斜視図。
【符号の説明】
【００２０】
２    走行機体
５    前処理部
２１  ナローガイド
２３  揺動リンク
Ａ    分草作業姿勢
Ｂ    格納姿勢
Ｒ    高さ位置調節機構
【図１】
2010081892.tif 000003
【図２】
2010081892.tif 000004
【図３】
2010081892.tif 000005
【図４】
2010081892.tif 000006
【図５】
2010081892.tif 000007
【図６】
2010081892.tif 000008
【図７】
2010081892.tif 000009